(57)【要約】    医用画像表示装置の異なるモニタ構成に対応した表示を行うことができる医用画像システムを提供する。    一又は複数のモニタを備える医用画像表示装置５Ａ、５Ｂを含む医用画像システム１では、サーバ３において前記複数の医用画像表示装置５Ａ、５Ｂにおけるそれぞれのモニタ構成に応じた対象データの表示構成ファイルを記憶し、前記複数の医用画像表示装置５Ａ、５Ｂのうち、前記対象データの表示を行う医用画像表示装置５Ａ又は５Ｂにおけるモニタ構成を判別する。そして、前記記憶された表示構成ファイルのうち、前記判別されたモニタ構成に対応する表示構成ファイルが医用画像表示装置５Ａ又は５Ｂに送信される。医用画像表示装置５Ａ又は５Ｂでは送信された表示構成ファイルに基づいて、前記対象データをモニタ上に表示させる。
2007099816.tif 000002
【特許請求の範囲】
【請求項１】
一又は複数のモニタを備える医用画像表示装置を複数含む医用画像システムにおいて、
前記複数の医用画像表示装置におけるそれぞれのモニタ構成に応じた対象データの表示構成を記憶する記憶手段と、
前記複数の医用画像表示装置のうち、前記対象データの表示を行う医用画像表示装置におけるモニタ構成を判別する判別手段と、
前記記憶された表示構成のうち、前記判別されたモニタ構成に対応する表示構成に基づいて、前記対象データを前記医用画像表示装置のモニタに表示させる表示制御手段と、
を備えることを特徴とする医用画像システム。
【請求項２】
前記記憶手段は、前記モニタ構成に応じた表示構成をユーザ毎に記憶し、
前記判別手段は、前記対象データの表示を行う医用画像表示装置のモニタ構成とともに当該医用画像表示装置にログインしたユーザを判別し、
前記表示制御手段は、前記判別されたモニタ構成及びユーザに対応する表示構成に基づいて、前記対象データを前記医用画像表示装置に表示させることを特徴とする請求の範囲第１項に記載の医用画像システム。
【請求項３】
前記対象データには、医用画像データが含まれることを特徴とする請求の範囲第１項又は第２項に記載の医用画像システム。
【請求項４】
前記表示構成には、モニタ毎に表示すべき対象データの種類を定めた構成が含まれることを特徴とする請求の範囲第１項〜第３項の何れか一項に記載の医用画像システム。
【請求項５】
前記表示制御手段は、前記判別されたモニタ構成に対応する表示構成が前記記憶手段に記憶されていない場合、前記記憶手段に記憶されている表示構成のうち、最小モニタ数のモニタ構成に対応する表示構成に基づいて、前記対象データを前記医用画像表示装置のモニタに表示させることを特徴とする請求の範囲第１項〜第４項の何れか一項に記載の医用画像システム。
【発明の詳細な説明】
【技術分野】
【０００１】
本発明は、医用画像データ、その他医用画像に係る表示対象データをモニタ上に表示する医用画像システムに関する。
【背景技術】
【０００２】
近年、病院での医用画像の電子データ化がすすみ、医用画像の撮影から表示までの一連の処理を担う医用画像システムが構築されている。これは撮影装置等により得られた医用画像のデータを大容量メモリに保存し、サーバがこれを管理して診察室等に病院内の各地に設置されている医用画像表示装置に配信するものである。【０００３】
医用画像の読影時には、医師は複数の医用画像を並べて観察したり、医用画像とともに患者リスト画面やレポート作成画面等を並列に表示させる場合があるので、医用画像表示装置ではモニタは一つだけでなく、複数備えているものも多い。
医用画像表示装置を使用する毎にどのモニタにどのような表示内容を表示させるのかを設定するのは煩雑であるため、従来から医師毎に表示構成を定めてサーバに登録しておき、表示装置へのログイン時にログインした医師に対応する表示構成をサーバから取得してこれに基づく表示を行うことが行われていた（例えば、特許文献１参照）。
【特許文献１】特開平１１−２８２９３６号公報
【発明の開示】
【発明が解決しようとする課題】
【０００４】
しかし、医師が常に同じ医用画像表示装置を使用するとは限らず、異なる場所に設置されている医用画像表示装置にログインして読影を行うこともある。従来の方法では、医師がある一つの医用画像表示装置を固定で使用することを前提として、医師毎に１つの表示構成を定めているため、異なるモニタ構成の表示装置が使用された場合には、その表示装置のモニタ構成に合わない表示構成で表示されるという問題があった。【０００５】
例えば、３モニタ構成を前提として、各モニタに患者リスト画面、読影画面（医用画像の表示）、レポート画面を表示する表示構成が設定されていたにも拘わらず、医師が１モニタ構成の表示装置にログインした場合には、上記の表示構成が適用できないため、３つの画面が一つのモニタ上に重畳されて表示される等、医師にとって予期しない表示態様となってしまう。【０００６】
本発明の課題は、医用画像表示装置の異なるモニタ構成に対応した表示を行うことができる医用画像システムを提供することである。
【課題を解決するための手段】
【０００７】
請求の範囲第１項に記載の発明は、
一又は複数のモニタを備える医用画像表示装置を複数含む医用画像システムにおいて、
前記複数の医用画像表示装置におけるそれぞれのモニタ構成に応じた対象データの表示構成を記憶する記憶手段と、
前記複数の医用画像表示装置のうち、前記対象データの表示を行う医用画像表示装置におけるモニタ構成を判別する判別手段と、
前記記憶された表示構成のうち、前記判別されたモニタ構成に対応する表示構成に基づいて、前記対象データを前記医用画像表示装置のモニタに表示させる表示制御手段と、
を備えることを特徴とする。
【発明の効果】
【０００８】
請求の範囲第１項、第３項に記載の発明によれば、異なるモニタ構成を有する医用画像表示装置のうち、何れのモニタ構成のものにログインしてもそのモニタ構成に対応した表示構成で対象データの表示を行うことができる。よって、ユーザは逐一、ログインした医用画像表示装置のモニタ構成に合わせて表示操作を行う必要がなく、操作性が向上する。【０００９】
請求の範囲第２項に記載の発明によれば、モニタ構成に対応できるだけでなく、ユーザに応じた表示構成で対象データを表示させることができる。これにより、表示内容のカスタマイズを行うことが可能となり、利便性が向上する。【００１０】
請求の範囲第４項に記載の発明によれば、医用画像表示装置のモニタ構成に応じて、モニタ毎に表示すべき対象データを定めることができ、表示内容のより詳細なカスタマイズを行うことができる。【００１１】
請求の範囲第５項に記載の発明によれば、モニタの不足により一のモニタにおいて複数の対象データが重畳表示されるのを回避することができる。
【図面の簡単な説明】
【００１２】
【図１】本実施形態における医用画像システムの構成を示す図である。
【図２】図１のサーバの構成を示す図である。
【図３】図２の記憶部に記憶される登録ユーザファイルの一例を示す図である。
【図４】図２の記憶部に記憶される表示構成テーブルの一例を示す図である。
【図５】図２の記憶部に記憶されるモニタファイルの一例を示す図である。
【図６】図１の医用画像表示装置の構成を示す図である。
【図７】サーバにより実行される表示構成ファイル提供処理を示すフローチャートである。
【図８】医用画像表示装置により実行される対象データ表示処理を示すフローチャートである。
【図９】対象データの表示例を示す図である。
【符号の説明】
【００１３】
１    医用画像システム
３    サーバ
３１    制御部
３４    記憶部
３４１    登録ユーザファイル
３４２    表示構成テーブル
３４３    モニタファイル
４    ＮＡＳ
５Ａ、５Ｂ    医用画像表示装置
５１    制御部
５３ａ、５３ｂ、５３ｃ    モニタ
【発明を実施するための最良の形態】
【００１４】
まず、構成を説明する。
図１に、本実施形態における医用画像システム１のシステム構成を示す。
医用画像システム１は、図１に示すように、モダリティ２、サーバ３、ＮＡＳ（Network Attached Storage）４、医用画像表示装置５Ａ、５Ｂ、フィルム出力装置６を備えて構成されており、各構成装置はネットワークＮを介して接続されている。ネットワークＮは、ＤＩＣＯＭ（Digital Imaging and Communication in Medicine）規格に従ったＬＡＮ（Local Area Network）である。【００１５】
医用画像システム１は、モダリティ２により撮影された医用画像の他、レポート等のデータをＮＡＳ４に保存し、サーバ３によりその入出力を管理するものである。サーバ３の制御により、ＮＡＳ４に保存された各データはフィルム出力装置６又は医用画像表示装置５Ａ、５Ｂに出力される。
以下、各構成装置について説明する。【００１６】
モダリティ２は、患者を撮影し、その撮影画像（医用画像）を生成する画像生成装置である。モダリティ２としては、Ｘ線撮影装置、ＣＴ（Computed Tomography）撮影装置、ＭＲＩ（Magnetic Resonance Imaging）撮影装置、超音波／内視鏡撮影装置等、様々なものが挙げられる。撮影された医用画像はＮＡＳ４に送信される。なお、モダリティ２では撮影時に得られた医用画像に関する情報を医用画像に付加することが可能である。医用画像に関する情報としては、例えば患者の氏名、年齢等の患者情報や撮影日、モダリティ名、撮影条件等の撮影情報、医用画像のビット情報等の画像詳細情報等が挙げられる。これらの情報はモダリティ２において撮影技師が入力することにより得ることとしてもよいし、外部装置から入力されたものを得ることとしてもよい。【００１７】
サーバ３は、ＮＡＳ４に保存された各種データの管理を統括的に行うものである。
図２に、サーバ３の構成を示す。
サーバ３は、図２に示すように、制御部３１、通信部３２、ＲＡＭ（Random Access Memory）３３、記憶部３４等を備えて構成されている。【００１８】
制御部３１は、ＣＰＵ（Central Processing Unit）等から構成されており、記憶部３４に記憶されている各種制御プログラムをＲＡＭ３３に展開して、これら制御プログラムとの協働により演算を行う或いは各部３２〜３４の集中制御を行う。【００１９】
通信部３２は、ネットワークインターフェイスカード等の通信用インターフェイスを備え、ネットワークＮ上の外部装置と通信を行う。例えば、医用画像表示装置５Ａ、５Ｂからユーザのログイン情報を受信し、そのユーザ認証の結果を返信する。【００２０】
ＲＡＭ３３は、制御部３１により用いられる作業用メモリである。【００２１】
記憶部３４は、制御部３１において用いられる各種制御プログラムの他、プログラムの実行に必要なパラメータやデータ等を記憶している。
例えば、記憶部３４は、登録ユーザファイル３４１、表示構成テーブル３４２、モニタファイル３４３を記憶している。【００２２】
登録ユーザファイル３４１は、ユーザ認証を行うための照合用のユーザ情報を格納するためのファイルである。登録ユーザファイル３４１には、図３に示すように、ユーザ名、ユーザＩＤ（予めユーザを個々に識別するために付与された番号）に対応付けて、パスワード、表示構成ファイル名が記憶されている。表示構成ファイルは各種表示対象のデータ（以下、対象データという）の表示構成を定めるものであり、個々のユーザに応じたものが作成される。また、１人のユーザにつき、モニタ構成毎、或いは表示内容の構成を変えて複数の表示構成ファイルを作成することが可能である。ここで、モニタ構成とは、医用画像表示装置５Ａ、５Ｂが備える一又は複数のモニタの数、各種モニタの組み合わせ等をいう。【００２３】
例えば、ユーザ「Ｘ」はユーザＩＤ「１０１１」、パスワード「Ｘ１２３」であり、ユーザ「Ｘ」に応じた表示構成ファイルは「Ｘ１」、「Ｘ２」、「Ｘ３」の３つであることが定められている。【００２４】
表示構成テーブル３４２には、各ユーザの表示構成ファイルが登録されている。表示構成テーブル３４２には、図４に示すように、表示構成ファイルのファイル名、表示に用いるモニタのモニタＩＤ（各モニタを個々に識別するために予め付与された番号。ＭＡＣアドレス等を利用してもよい）、当該モニタに表示すべき表示内容（対象データの種類）、そのレイアウトの各項目情報が記憶されている。なお、図４では表示内容として画面名称が挙げられているが、患者リスト画面では患者リストデータ、読影画面では医用画像データ、レポート画面ではレポートデータと表示すべき対象データの種類が定められている。【００２５】
例えば、ファイル名「Ｘ３」の表示構成ファイルは、モニタＩＤ「０１」、「０２」、「０３」の３台のモニタにおける表示構成を示すものであり、モニタＩＤ「０１」のモニタには「患者リスト画面」、モニタＩＤ「０２」のモニタには「シングルフォーマット」のレイアウトで「読影画面」、モニタＩＤ「０３」のモニタには「レポート画面」を表示することが定められている。
ここで、シングルフォーマット、マルチフォーマットとは、医用画像の表示形式をいう。シングルフォーマットとは表示領域に医用画像を１枚のみ表示する形式であり、マルチフォーマットとは表示領域を分割して複数の医用画像を表示する形式である。【００２６】
なお、表示構成テーブル３４２には、ユーザ毎の表示構成ファイルとは別に、基本表示構成ファイル（ファイル名「Ｓ」）が登録されている。これは予め標準的な表示構成として準備されているものであり、表示に用いるモニタの数は最小限の１に設定されている。また、任意のモニタを適用可能とするため、特にモニタＩＤは登録されておらず、表示内容としては初期操作に必要な「患者リスト画面」が登録されている。【００２７】
モニタファイル３４３は、医用画像システム１に含まれる全ての医用画像表示装置５Ａ、５Ｂが備えるモニタに関する情報を管理するためのものである。モニタファイル３４３には、図５に示すように、医用画像表示装置５Ａ、５Ｂのホスト名、当該医用画像表示装置５Ａ、５Ｂが備えるモニタのモニタＩＤに対応付けてそのモニタの解像度、画面サイズ、最高輝度の各項目情報が記憶されている。【００２８】
例えば、ホスト名「ＤｏｃＡ」の医用画像表示装置５ＡはモニタＩＤ「０１」、「０２」、「０３」の３台のモニタを備え、そのうちモニタＩＤ「０１」のモニタは解像度「１２８０×１０２４（画素）」、画面サイズ「３８０×５００」（ｍｍ）、最高輝度「２０５」（ｃｄ）であることが定められている。【００２９】
ＮＡＳ４は、大容量メモリを備えて構成され、医用画像の他、レポート等の医用画像に関する各種データを記憶している。ＮＡＳ４はサーバ３の制御に従って指示されたデータを指示された外部装置へ出力する。【００３０】
医用画像表示装置５Ａ、５Ｂは、医師の医用画像の読影時や診療作業時に用いられるものである。医用画像表示装置５Ａ、５Ｂは、一又は複数のモニタを備えて、このモニタに対象データを表示する。
図６を参照して医用画像表示装置５Ａ、５Ｂの構成について説明するが、医用画像表示装置５Ａ、５Ｂは基本的な構成は同一であるので、ここでは医用画像表示装置５Ａを代表として説明を行う。【００３１】
医用画像表示装置５Ａは、図６に示すように、制御部５１、操作部５２、表示部５３、通信部５４、ＲＡＭ５５、記憶部５６、画像処理部５７、画像メモリ５８を備えて構成されている。【００３２】
制御部５１は、ＣＰＵ等を備えて構成され、記憶部５６に記憶されている各種制御プログラムを読み出してＲＡＭ５５に展開し、これら制御プログラムとの協働により各種演算を行うとともに各部５２〜５８の集中制御を行う。【００３３】
操作部５２は、キーボードやマウス等を備えて構成され、これらが操作されると、その操作に応じた操作信号を生成して制御部５１に出力する。【００３４】
表示部５３は、モニタ５３ａ〜５３ｃを備え、これらモニタ５３ａ〜５３ｃに医用画像を表示したり、レポート作成画面、電子カルテ画面等の操作画面等、各種対象データを表示する。このモニタ５３ａ〜５３ｃには、前述したように個々にモニタＩＤが付されており、そのホスト名、モニタＩＤの情報が予めサーバ３において登録され、モニタファイル３４３において管理されている。ここでは、モニタ５３ａのモニタＩＤは「０１」、モニタ５３ｂのモニタＩＤは「０２」、モニタ５３ｃのモニタＩＤは「０３」であるとする。【００３５】
通信部５４は、通信用インターフェイスを備え、ネットワークＮ上の外部装置と通信を行う。例えば、サーバ３に医用画像等の対象データを要求する要求情報を送信し、ＮＡＳ４から対象データを受信する。【００３６】
ＲＡＭ５５は、制御部５１により使用される作業用メモリである。【００３７】
記憶部５６は、制御部５１において実行される各種制御プログラムの他、プログラムの実行に必要なパラメータ、データ等を記憶している。【００３８】
画像処理部５７は、対象データに縮小、拡大、回転、反転等の各種画像処理を施すものである。【００３９】
画像メモリ５８は、対象データを記憶する。【００４０】
フィルム出力装置６は、医用画像をフィルムへ出力するものである。【００４１】
次に、医用画像システム１の動作について説明する。
医用画像システム１では、医師が予めモニタ構成に応じた表示構成をサーバ３に登録し、表示構成ファイルを作成しておくことにより、何れの医用画像表示装置５Ａ又は５Ｂにログインしてもそのログインした医用画像表示装置５Ａ又は５Ｂのモニタ構成に対応した表示構成ファイルをサーバ３から取得して利用することが可能である。【００４２】
まず、図７を参照して、医師が医用画像表示装置５Ａ又は５Ｂにログインした際にサーバ３において行われる表示構成ファイル提供処理を説明する。
医用画像表示装置５Ａ又は５Ｂでは、操作部５２を介して医師によりログイン操作が行われると、当該ログイン操作により入力されたユーザ名（又はユーザＩＤ）及びパスワードのログイン情報がサーバ３に送信される。このとき、ログイン情報とともにログインが行われた医用画像表示装置５Ａ、５Ｂのホスト名の情報が送信される。
以下、医用画像表示装置５Ａにおいてログイン操作が行われたものとして説明を行う。【００４３】
サーバ３では、図７に示すように、制御部３１において何れかの医用画像表示装置５Ａ又は５Ｂからログイン情報が受信され、ログイン操作が行われたと判別されると（ステップＳ１；Ｙ）、ログイン情報とともに受信されたホスト名の情報に基づいて、制御部３１によりログインが行われた医用画像表示装置が特定される（ステップＳ２）。具体的には、受信されたホスト名とモニタファイル３４３に登録されたホスト名との照合により特定が行われる。以下、ログインが行われた医用画像表示装置をログイン装置ということがある。【００４４】
次いで、制御部３１では、ログイン情報と登録ユーザファイル３４１とが照合され、ユーザ認証が行われる（ステップＳ３）。ここで、ログイン情報と一致するユーザ名、パスワードが登録ユーザファイル３４１において検索されなかった場合には、ユーザの認証はできない旨を通知するエラー情報が通信部３２を介して医用画像表示装置５Ａに送信される。【００４５】
ユーザ認証がなされると、制御部３１では登録ユーザファイル３４１に基づいてその認証ユーザに対応する表示構成ファイルの有無が判別される（ステップＳ４）。登録ユーザファイル３４１に認証ユーザに対応する表示構成ファイルのファイル名が登録されており、表示構成ファイルが有ると判別された場合には（ステップＳ４；Ｙ）、ステップＳ５の処理に移行する。また、認証ユーザに対応する表示構成ファイルが無いと判別された場合には（ステップＳ４；Ｎ）、ステップＳ９の処理に移行する。【００４６】
まず、表示構成ファイルが有ると判別された場合について説明する。
この場合、制御部３１ではモニタファイル３４３が参照され、ログイン装置として特定された医用画像表示装置５Ａのモニタ数が判別される（ステップＳ５）。図５に示すモニタファイル３４３では、医用画像表示装置５Ａのホスト名「ＤｏｃＡ」に対応するモニタＩＤは「０１」、「０２」、「０３」の３モニタが登録されているので、そのモニタ数が３つであると判別される。【００４７】
次いで、制御部３１では、表示構成テーブル３４２に基づいて認証ユーザに対応する表示構成ファイルのうち、医用画像表示装置５Ａのモニタ数と一致する表示構成ファイルが有るか否かが判別される（ステップＳ６）。【００４８】
医用画像表示装置５Ａは３モニタを有する構成であるため、認証ユーザ「Ｘ」の表示構成ファイル「Ｘ１」、「Ｘ２」、「Ｘ３」のうち、モニタ数が３つである「Ｘ３」のファイルにおいて一致すると判別される。【００４９】
モニタ数が一致する表示構成ファイルが有る場合（ステップＳ６；Ｙ）、一致するその表示構成ファイルが制御部３１により表示構成テーブル３４２から読み出されて、通信部３２を介して医用画像表示装置５Ａに送信され（ステップＳ７）、本処理を終了する。【００５０】
一方、一致する表示構成ファイルが無い場合（ステップＳ６；Ｎ）、認証ユーザについて登録されている表示構成ファイルのうち、最小モニタ数の表示構成ファイルが医用画像表示装置５Ａに送信され（ステップＳ８）、本処理を終了する。【００５１】
例えば、認証ユーザ「Ｘ」について表示構成ファイル「Ｘ３」が未登録であり、「Ｘ１」、「Ｘ２」のみ登録されていた場合、最小モニタ数１のモニタ構成で登録されている表示構成ファイル「Ｘ１」が医用画像表示装置５Ａに送信されることとなる。これは、医用画像表示装置５Ａにおいて、医用画像表示装置５Ａのモニタ数より多いモニタ数の表示構成ファイルを適用すると、不足分のモニタにおいて表示を予定していた対象データが他のモニタにおいて表示すべき対象データと重ねて表示されることとなる。このような重畳表示を避けるため、医用画像表示装置５Ａのモニタ数よりも必ず少ないモニタ構成で表示される表示構成ファイルを選択しているのである。なお、医用画像表示装置５Ａのモニタ数より少ないモニタ数の表示構成ファイルの中から任意のものを選択することとしてもよい。【００５２】
次に、ステップＳ４において認証ユーザに対応する表示構成ファイルが無かった場合について説明する。
この場合、基本構成ファイルが医用画像表示装置５Ａに送信され（ステップＳ９）、本処理を終了する。【００５３】
このようにして表示構成ファイルが医用画像表示装置５Ａに送信されると、医用画像表示装置５Ａではこの表示構成ファイルに従って対象データの表示が行われる。
図８を参照して医用画像表示装置５Ａにおいて実行される対象データ表示処理について説明する。なお、ここでは医用画像表示装置５Ａの処理動作について説明するが、医用画像表示装置５Ｂにおいても同様の処理がなされる。【００５４】
図８に示すように、サーバ３から表示構成ファイルが取得されると（ステップＳ１０１；Ｙ）、当該表示構成ファイルがＲＡＭ５５に保存される（ステップＳ１０２）。そして、医師により患者リスト、医用画像等の表示する対象データの指示操作がなされると、制御部５１の制御により当該対象データが取得される（ステップＳ１０３）。取得時には、制御部５１により生成された要求情報がサーバ３に送信される。サーバ３では要求情報に応じて指定された対象データを転送するようＮＡＳ４の制御がなされるので、医用画像表示装置５ＡではこのＮＡＳ４から対象データが取得されるものである。【００５５】
制御部５１では、取得された表示構成ファイルに基づいて対象データを表示すべきモニタが判別される（ステップＳ１０４）。図４に示す表示構成ファイル「Ｘ３」が取得された場合、モニタＩＤ「０１」のモニタでは「患者リスト画面」、モニタＩＤ「０２」のモニタではシングルフォーマットの「読影画面」、モニタＩＤ「０３」のモニタでは「レポート画面」と定められている。サーバ３からは患者リスト、ＮＡＳ４からは医用画像、レポートの各対象データが取得されるので、医用画像表示装置５Ａでは、患者リストの対象データはモニタＩＤ「０１」のモニタ５３ａ、医用画像はシングルフォーマット形式でモニタＩＤ「０２」のモニタ５３ｂ、レポートの対象データはモニタＩＤ「０３」のモニタ５３ｃとそれぞれ判別される。【００５６】
そして、判別の結果、各モニタ５３ａ〜５３ｃに対応する対象データが表示されると（ステップＳ１０５）、本処理を終了する。
図９に、その表示例を示す。
図９に示すように、モニタ５３ａには患者リスト画面、モニタ５３ｂにはシングルフォーマット形式の読影画面、モニタ５３ｃにはレポート画面と、表示構成ファイルに従った表示構成で各対象データが表示されている。【００５７】
以上のように、本実施形態によれば、予めサーバ３において医用画像表示装置５Ａ、５Ｂのモニタ構成に応じた表示構成ファイルをユーザ毎に作成し、登録しておくことにより、ログインの認証時にその認証ユーザ及びログインされた医用画像表示装置５Ａ、５Ｂのモニタ構成に応じた表示構成ファイルを取得することができ、これに基づく対象データの表示を行うことができる。【００５８】
よって、医師は異なるモニタ構成を持つ医用画像表示装置５Ａ、５Ｂの何れにログインしても、そのモニタ構成に応じた表示構成で対象データを表示させることができる。逐一ログインした医用画像表示装置５Ａ又は５Ｂのモニタ構成に応じて対象データの表示操作を行う必要がなく、利便性が高い。【００５９】
また、ユーザ毎に表示構成ファイルを登録することができるので、医師の好みやスタイルに応じた表示内容で表示構成ファイルを作成することにより、医用画像表示装置５Ａ、５Ｂのモニタ構成に対応するだけでなく、医師に応じて表示内容のカスタマイズが可能となる。【００６０】
また、表示構成ファイルは、各モニタＩＤに対応付けてそのモニタにおける表示内容が記憶されているので、何れのモニタに何れの対象データを表示するかを定めることができる。また、表示内容は、医用画像についてはそのレイアウト等も登録することができ、詳細にわたって表示構成のカスタマイズを行うことが可能となる。【００６１】
なお、上記実施形態は、本発明を適用した好適な一例であり、これに限定されない。
例えば、内科、外科等のグループ毎に表示構成ファイルを備えることとしてもよい。この場合、グループ毎に使用する表示構成ファイルを共通化することができ、医師の作業手順の統一化を図ることができる。【００６２】
また、上記実施形態のようにユーザ毎に表示構成ファイルを備えるのではなく、各医用画像表示装置５Ａ、５Ｂに共通の表示構成ファイルとして、各医用画像表示装置５Ａ、５Ｂが取り得るモニタ構成毎に表示構成を登録しておくこととしてもよい。例えば、全医用画像表示装置５Ａ、５Ｂにおける最大モニタ数が３である場合、モニタ数１、２、３に対応する３つの表示構成ファイルを登録しておく。これらの表示構成ファイルを用いることにより、何れのユーザにおいても全てのモニタ構成に対応することができる。
【産業上の利用性】
【００６３】
表示技術の分野において利用することが可能であり、医用画像データ、その他医用画像に係る表示対象データをモニタ上に表示する医用画像システムに適用可能である。
【図１】
2007099816.tif 000003
【図２】
2007099816.tif 000004
【図３】
2007099816.tif 000005
【図４】
2007099816.tif 000006
【図５】
2007099816.tif 000007
【図６】
2007099816.tif 000008
【図７】
2007099816.tif 000009
【図８】
2007099816.tif 000010
【図９】
2007099816.tif 000011
【国際調査報告】
2007099816.tif 000012
2007099816.tif 000013